(57)【要約】      （修正有）【課題】飲料の入った樹脂製ボトルに直接に取り付けて、所定量の飲料をコップに簡単に計り取ることができ、嚥下機能低下者などが水分摂取する際の誤嚥を防止することができるコップを提供する。【解決手段】液供給部とコップ部２とを具備し、液供給部は円柱体と輸送管１２を有し、円柱体は円柱体底面と円柱体側面とを連通する内腔を有し、輸送管１２は円柱体底面に開口する内腔と連通するように接続されており、コップ部２は、コップ部底中央がコップ部内側に盛り上がっていて、該盛り上がった部分の中央に貫通孔を有し、該貫通孔には、ペットボトル１１の注ぎ口１４をキャップするための螺合部と、前記円柱体が前記盛り上がった部分の上に配置され且つ前記供給管がコップ部２の底から外側に配置されるように前記液供給部を設置するための係合部とが形成されており、液供給部とコップ部２とが前記係合部で係合されて成るボトル装着型定量コップ。【選択図】図６
2018057531.tif 000002
【特許請求の範囲】
【請求項１】
液供給部とコップ部とを具備し、
液供給部は円柱体と輸送管を有し、
円柱体は円柱体底面と円柱体側面とを連通する内腔を有し、
輸送管は円柱体底面に開口する内腔と連通するように接続されており、
コップ部は、コップ部底中央がコップ部内側に盛り上がっていて、該盛り上がった部分の中央に貫通孔を有し、
該貫通孔には、ペットボトルの注ぎ口をキャップするための螺合部と、前記円柱体が前記盛り上がった部分の上に配置され且つ前記供給管がコップ部の底から外側に配置されるように前記液供給部を設置するための係合部とが形成されており、
液供給部とコップ部とが前記係合部で係合されて成るボトル装着型定量コップ。
【発明の詳細な説明】
【技術分野】
【０００１】
本発明は、ボトル装着型定量コップに関する。より詳細に、飲料の入った樹脂製ボトルに直接に取り付けて、所定量の飲料をコップに簡単に計り取ることができ、嚥下機能低下者などが水分摂取する際の誤嚥を防止することができるコップに関する。
【背景技術】
【０００２】
嚥下機能の低下している人が水を誤嚥なく安全に飲むために、看護師などが付き添うことが望ましい。しかし、看護師などは嚥下機能低下者への水分摂取のたびに時間を割かれ負担が少なくない。一方で、嚥下機能低下者の自立を図ることも重要である。
【０００３】
このようなことから、嚥下機能低下者への水分摂取の際に、多量の水を一度に口に入れることがないように、一口量を所定値以下に制限できるストロー付きコップが提案されている（特許文献１）。飲料の多くがポリエチレンテレフタレート樹脂製ボトル（ペットボトル）などにて販売供給されているので、当該ペットボトルから前記ストロー付きコップに飲料を移し替え、嚥下機能低下者に提供している。
【先行技術文献】
【特許文献】
【０００４】
【特許文献１】特開２０１４−６１０６４号公報
【発明の概要】
【発明が解決しようとする課題】
【０００５】
本発明の課題は、飲料の入った樹脂製ボトルに直接に取り付けて、所定量の飲料をコップに簡単に計り取ることができ、嚥下機能低下者などが水分摂取する際の誤嚥を防止することができるコップを提供することである。
【課題を解決するための手段】
【０００６】
上記課題を解決すべく鋭意検討した結果、下記の形態を包含する本発明を完成するに至った。
【０００７】
〔１〕  液供給部とコップ部とを具備し、
液供給部は円柱体と輸送管を有し、
円柱体は円柱体底面と円柱体側面とを連通する内腔を有し、
輸送管は円柱体底面に開口する内腔と連通するように接続されており、
コップ部は、コップ部底中央がコップ部内側に盛り上がっていて、該盛り上がった部分の中央に貫通孔を有し、
該貫通孔には、ペットボトルの注ぎ口をキャップするための螺合部と、前記円柱体が前記盛り上がった部分の上に配置され且つ前記供給管がコップ部の底から外側に配置されるように前記液供給部を設置するための係合部とが形成されており、
液供給部とコップ部とが前記係合部で係合されて成るボトル装着型定量コップ。
【発明の効果】
【０００８】
本発明のボトル装着型定量コップは、飲料の入った樹脂ボトルに直接に取り付けて、所定量の飲料をコップに簡単に計り取ることができ、嚥下機能低下者などが水分摂取する際の誤嚥を効果的に防止することができる。
【図面の簡単な説明】
【０００９】
【図１】本発明のボトル装着型定量コップを構成するコップ部の一例を示す斜視図である。
【図２】図１に示すコップ部の断面図である。
【図３】本発明のボトル装着型定量コップを構成する液供給部の一例を示す斜視図である。
【図４】図１に示すコップ部と図３に示す液供給部とを組み立てた状態（本発明のボトル装着型定量コップ）の一例を示す断面図である。
【図５】本発明のボトル装着型定量コップをペットボトルに装着したときの状態の一例を示す斜視図である。
【図６】本発明のボトル装着型定量コップをペットボトルに装着したときの状態の一例を示す断面図である。
【発明を実施するための形態】
【００１０】
図を参照しながら本発明の一実施形態を説明する。
本発明のボトル装着型定量コップ１は、液供給部３とコップ部２とを具備するものである。液供給部とコップ部とは後述する係合部１０で係合されている。
【００１１】
液供給部３は円柱体５と輸送管６を有するものである（図３参照）。
円柱体５は円柱体底面と円柱体側面とを連通する内腔１５を有する。内腔１５は分岐していてもよく、三叉路、四叉路などになっていてもよい。円柱体底面にある内腔の開口は円柱体底面の中央に設けることが好ましい。また、円柱体側面にある内腔の開口８は１つだけ設けてもよいし、図３に示すように複数設けてもよいし、円柱体側面をほぼ一周するスリット形状に設けてもよい。
【００１２】
輸送管６は円柱体底面に開口する内腔と連通するように接続されている。図３に示す液供給部３においては、コップ部２の係合部１０に水密に固定されるように襞部７が設けられている。
【００１３】
コップ部２は、コップ部底中央がコップ部内側に盛り上がっている（図１および２参照）。盛り上がった部分４によって、コップ部の底には環状の凹みが形成され、その凹みに飲料などを溜めることができる。
盛り上がった部分４の中央に貫通孔を有する。図２に示すように、貫通孔には、ペットボトルの注ぎ口１４をキャップするための螺合部９が形成されている。また、貫通孔には、前記円柱体５が前記盛り上がった部分４の上に配置され且つ前記供給管６がコップ部２の底から外側に配置されるように前記液供給部３を設置するための係合部１０が形成されている（図３参照）。
【００１４】
図５または６に示すように、ペットボトルのスクリューキャップを取り外し、本発明のボトル装着型定量コップを、螺合部９を介して、ペットボトル１１の注ぎ口１４に取り付ける。図６に示す本発明のボトル装着型定量コップには、輸送管６の先端に輸送管延長チューブ１２が取り付けられている。輸送管延長チューブ１２は先端が曲がっていて、ペットボトルの底面に先端が接触する程度の長さを有することが好ましい。このような輸送管延長チューブを取り付けるとペットボトルの中に入っていた液体をほぼ全量排出することができる。
【００１５】
ペットボトルには、飲料水などの液体を入れておく。そして、ペットボトルの壁面を軽く押し潰すと、内圧の上昇によって、液体が輸送管延長チューブ１２、輸送管６、内腔１５、および円柱体側面の開口８を順次経てコップ部の凹みに移送され、溜まる。
壁面を押さえるのを止めると、コップ部の凹みに溜まった液体の液面が円柱体側面の開口８よりも高い位置にあるとき、液面が円柱体側面の開口８と同じ高さの位置になるまで、液体が、円柱体側面の開口８、内腔１５、輸送管６、および輸送管延長チューブ１２を順次経てペットボトルに戻る。
【００１６】
円柱体側面の開口８の高さは、コップ部の凹みの容量が所定値になるように調整されている。これによって、毎回、同じ量の液体がコップ部の凹みに溜まることになる。その結果、本発明のボトル装着型定量コップは、一度に飲み込める液体量が所定値に規制され、一度に多量に飲み込んで誤嚥を起こすようなことを防ぐことができる。
【００１７】
本発明のボトル装着型定量コップは図に示す実施形態に限られず、各部の形状、大きさ、色、材質を変更したもの、または液供給部およびコップ部以外の周知または慣用の部品を追加したものも本発明の技術的範囲に包含される。
【符号の説明】
【００１８】
１：ボトル装着型定量コップ、    ２：コップ部、    ３：液供給部、    ４：盛り上がり部、    ５：円柱体、    ６：輸送管、    ７：襞部、    ８：円柱体側面開口、    ９：螺合部、    １０：係合部、    １１：ペットボトル、    １２：輸送管延長チューブ、    １３：液体、    １４：注ぎ口、    １５：内腔
【図１】
2018057531.tif 000003
【図２】
2018057531.tif 000004
【図３】
2018057531.tif 000005
【図４】
2018057531.tif 000006
【図５】
2018057531.tif 000007
【図６】
2018057531.tif 000008